【事件の表示】
　特願２００７−２９１６１５「カラープリンタ及びその制御方法」拒絶査定不服審判事件〔平成２０年　５月　８日出願公開、特開２００８−１０５４２７〕について、次のとおり審決する。
【結　論】
　本件審判の請求は、成り立たない。
【理　由】
第１　手続の経緯 
　本件出願（以下「本願」という。）は、平成１１年３月２９日（以下「原出願日」という。）に出願した特願平１１−８６４９０号の一部を平成１９年１１月９日に新たな特許出願としたものであって、平成２０年２月２８日付けで手続補正がなされ、同年５月３０日付けで拒絶の理由が通知され、同年７月２４日付けで手続補正がなされたが、同年１０月１７日付けで拒絶査定がなされ、これに対し、同年１１月２０日に本件審判が請求されるとともに、同年１２月１２日付けで特許請求の範囲についての手続補正がなされ、当審において平成２１年８月２６日付けで審尋を行ったところ、当該審尋に対する回答はなされず、その後、平成２０年１２月１２日付け手続補正を平成２２年６月１７日付けで却下するとともに、同日付けで拒絶の理由（以下「当審最初の拒絶理由」という。）を通知したところ、同年８月２３日付けで手続補正がなされたものである。 
 　 
第２　本願発明 
　本願の請求項１に係る発明（以下「本願発明」いう。）は、平成２２年８月２３日付け手続補正により補正された、明細書、特許請求の範囲及び図面の記載からみて、その特許請求の範囲の請求項１に記載された事項により特定される、次のとおりのものであると認める。 
 　　
「【請求項１】
　印刷ヘッドと、
　前記印刷ヘッドを主走査方向に移動させる移動機構と、
　１印刷行分の色別のイメージデータをそれぞれ記憶する複数のイメージバッファと、
　前記各色イメージバッファ内に格納された前記各色イメージデータの最先頭アドレスと最後尾アドレスとに基づいて、前記最先頭アドレスに対応する主走査方向の印刷開始位置から、前記最後尾アドレスに対応する主走査方向の印刷終了位置までの位置範囲を前記印刷ヘッドが連続移動するように、前記移動機構を制御する移動制御手段と、
　を備え、
　前記ヘッドは、
主走査方向に配列された複数の色別ヘッド部
　前記最先頭アドレスは、前記複数のイメージバッファに格納された色別のイメージデータの開始アドレスのうち最小のアドレスであり、
　前記最後尾アドレスは、前記複数のイメージバッファに格納された色別のイメージデータの終了アドレスのうち最大のアドレスであり、
　
前記移動制御手段は、前記複数の色別ヘッド部のうち、
　
前記最小のアドレスに対応する色の前記色別ヘッド部と他の色の前記色別ヘッド部との主走査方向の距離に基づいて前記移動機構を制御し、
　
前記最大のアドレスに対応する色の前記色別ヘッド部と他の色の前記色別ヘッド部との主走査方向の距離に基づいて前記移動機構を制御する
　カラープリンタ。」（下線は審決で付した。以下同じ。） 
 　   　
第３　刊行物に記載された発明 
１　当審最初の拒絶理由に引用された刊行物であって、本願の出願前に頒布された特開平１１−４２７８５号公報（以下「引用文献」という。）には、以下の記載が図とともにある。
　　　 
　ア　「【特許請求の範囲】 
【請求項１】 
複数のノズルを副走査方向に配置したインクジェットヘッドをキャリッジに搭載し、このキャリッジを主走査方向に移動させて記録を行うインクジェット記録装置
記録データ生成手段
受信する受信手段
メモリ手段
読出し手段
受信手段には実効印写領域を検出する実効印写領域検出手段を備えた
【請求項２】 請求項１に記載のインクジェット記録装置において、前記実効印写領域検出手段は主走査方向に１ライン毎に生成されるシリアルの記録データに含まれる
インク滴吐出データに対応する最初のアドレス及び最後のアドレスを検出する
【請求項３】 請求項１又は２に記載のインクジェット記録装置において、前記インクジェットヘッドはｎ個のノズルを前記記録密度と同じノズル配置密度で配置したヘッドからなり、前記実効印写領域検出手段は連続したｎライン分の記録データに含まれるインク滴吐出データに対応する
最小アドレス値の最初のアドレス及び最大アドレス値の最後のアドレス
【請求項４】 請求項３に記載のインクジェット記録装置において、
前記最小アドレス値の最初のアドレス及び最大アドレス値の最後のアドレスに基づいて前記キャリッジを双方向に最短距離で印写開始位置に移動させる制御をする手段
 　　
　イ　「【０００３】従来、このようなインクジェット記録装置において、プリントのスループットを高めるために、例えば特開昭６−１０６８０６号公報に記載されているように、
ホスト側から受信したイメージデータ若しくはコードデータをビットマップ展開したイメージデータをメモリに格納し、このメモリをスキャンしてイメージデータを読出し、これに基づいて非印写領域を検出して
【０００４】また、特開平２−４５１７２号公報に記載されているようにホストからの
記録データを受信する受信バッファからデータを読み出して空白部分を検出し、この空白部分を受信バッファの記録データから除去するようにしたもの
印字データをイメージデータに展開して、このイメージデータからスペース（空白）データを検出してキャリッジの移動速度を決定するようにしたもの
【０００５】
【発明が解決しようとする課題】上述したように従来のインクジェット記録装置においては、
メモリ上に記録データをビットマップ展開した上で、そのビットマップデータ（イメージデータ）から実効印写領域を検出してキャリッジの移動範囲や移動速度を決定することで高速化を図るようにしている
【０００６】しかしながら、このようにビットマップデータを主走査方向にスキャンして実効印写領域を検出する、つまり、すなわち
各アドレスについてインク滴吐出データがあるか否かの検出を行なった場合、実効印写領域の検出処理に相当の時間がかかるため、キャリッジの移動自体のスループットを高めることができても、記録装置全体として見た場合スループットをさほど高めることができない
【０００７】本発明は上記の点に鑑みてなされたものであり、全体的なスループットを高めて高速記録を可能にしたインクジェット記録装置を提供することを目的とする。」
　
　ウ　「【００１５】このインクジェット記録装置は、左右の主走査フレーム１，１間に設けたフロントガイド２及びガイドシャフト３にキャリッジ４を摺動自在に搭載し、
このキャリッジ４の下面側に例えばイエロー（Ｙ）、マゼンタ（Ｍ）、シアン（Ｃ）及びブラック（Ｂｋ）の各インクのインク滴を吐出するための複数個のインクジェットヘッドからなる記録ヘッド５
 【００１６】そして、左右の主走査フレーム１，１間に設けた略Ｌ字型のステー７に主走査モータ８を取付け、この主走査モータ８の回転軸に後述する本発明に係る駆動プーリの内の歯付き駆動プーリ９とステー７に取付けた従動プーリ１０との間にベルト１１を張装し、図２に示すように前記キャリッジ４をこのベルト１１にベルトクランプ１２で固定して、主走査モータ８を回転駆動することでキャリッジ４を図１の矢示Ａ方向（主走査方向）に走査するようにしている。なお、従動プーリ１０は主走査方向に微小移動可能に取付けてテンションスプリング１３でベルト１１にテンションをかけるようにしている。
・・・（略）・・・
【００２０】このような構成によって、記録ヘッド５（キャリッジ４）を主走査方向に移動走査させながら、用紙２４を副走査方向に搬送して、記録ヘッド５の各インクジェットヘッドのノズルから所要の色のインク滴を噴射させることによって、用紙２４上に所要のモノクロ画像或いはカラー画像を記録する。」
   　
　エ　「【００２１】次に、このインクジェット記録装置の制御部の概要について図３を参照して説明する。この制御部は、
ホスト側から転送される印刷データ（描画コマンド）等を受信し、主走査方向に１ライン毎に記録密度ｄ単位でシリアルに記録データ（以下、「ビデオデータ」という。）を生成する記録データ生成手段であるシリアルデータ生成装置４１を含むプリンタコントロール部４０と、このプリンタコントローラ部４０から転送されるシリアルのビデオデータ等の情報に基づいて記録ヘッド５の駆動制御や主走査モータ８及び副走査モータ３４の駆動制御等を行なうエンジンコントローラ部４２とを備え、
【００２２】
エンジンコントローラ部４２は、このエンジンコントローラ部４２の全体の制御を司るマイクロコンピュータ（ＣＰＵ）４４と、プリンタコントローラ部４０のシリアルデータ生成装置４１からのビデオデータ等を受信する受信手段である受信回路４５（シリアルーパラレル変換部を含む）と、この受信回路４５で受信したビデオデータを格納するメモリ４６と、このメモリ４６へのビデオデータの書込みを制御する書込み制御回路４７と、メモリ４６から記録ヘッド５のノズル配置に合わせてビデオデータを読み出す読出し手段である読み出し制御回路４８とを備え、メモリ４６から読み出したビデオデータをヘッド駆動回路４９に送出して記録ヘッド５を駆動させ、ＣＰＵ４４からのドライブ制御信号をモータドライバ５０に送出して主走査モータ８及び副走査モータ３４を駆動させる
【００２３】ここで、プリンタコントローラ部４０（シリアルデータ生成装置４１）とエンジコントローラ部４２（受信回路４５）との間のビデオＩ／Ｆ４３には、図４に示すようなデータ及び信号送受するラインがある。 
ＣＢＲ：コントローラバッファレディ信号であり、プリンタコントローラ部４０が１ライン分のシリアルデータ（ビデオデータ）を転送する準備ができたときにアクティブになる信号 
ＥＢＲ：エンジンバッファレディ信号であり、エンジンコントローラ部４２が１ライン分のシリアルデータ（ビデオデータ）を受信する準備ができたときにアクティブになる信号 
ＶＣＬＫ：プリンタコントローラ部４０のビデオデータ同期信号 
Ｙ，Ｍ，Ｃ，ＫＤＡＴＡ：イエロー、マゼンタ、シアン、ブラックの各ビデオデータ 
【００２４】
そして、エンジコントローラ部４２の受信回路４５には、図５に示すように受信部５１と、実効印写領域を検出する実効印写領域検出回路５２とを備えている。
【００２５】
実効印写領域検出回路５２は、受信部５１の上記シリアルデータアドレスカウンタからのシリアルデータアドレスと受信したシリアルデータとから実効印写領域を検出する。この場合、４色の各シリアルデータの内に１色でもインク滴吐出データ（インク滴を吐出させるためにエネルギー発生手段の駆動を要求するデータの意味）があるときには、そのアドレス（主走査方向ドット位置）から印写を開始する必要があるので、図６に示すように、Ｙ，Ｍ，Ｃ，Ｋの各データＤＡＴＡをオア回路５３に入力して論理和を取って１本の信号にしている
【００２６】次に、このように構成したインクジェット記録装置の作用について図７以降をも参照して説明する。まず、図７を参照してプリンタコントローラ部４０からエンジコントローラ部４２へのデータ転送について説明すると、プリンタコントローラ部４０からエンジコントローラ部４２に対しては同図（ｃ）に示すようにビデオデータ同期信号ＶＣＬＫが常時送出されており、ここでプリンタコントローラ部４０が１ライン分のシリアルデータ（ビデオデータ）を転送する準備ができたときに同図（ａ）に示すようにコントローラバッファレディ信号ＣＢＲをビジー（ＢＵＳＹ）からレディ（Ｒｅａｄｙ）状態にし、一方、エンジンコントローラ部４２は１ライン分のシリアルデータ（ビデオデータ）を受信する準備ができたときに同図（ｂ）に示すようにエンジンバッファレディ信号ＥＢＲをビジー（ＢＵＳＹ）からレディ（Ｒｅａｄｙ）状態にする。これによって、プリンタコントローラ部４０からエンジンコントローラ部４２に対して同図（ｄ）に示すようにＹ，Ｍ，Ｃ，Ｋの各ビデオデータＹＤＡＴＡ，ＭＤＡＴＡ，ＣＤＡＴＡ，ＫＤＡＴＡを転送する。
【００２７】次に、エンジンコントローラ部４２の受信回路４５における実効印写領域検出について図８を参照して説明する。ここでは、例えば同図（ａ）〜（ｄ）に示すようなＹ，Ｍ，Ｃ，Ｋの各ビデオデータＹＤＡＴＡ、ＭＤＡＴＡ、ＣＤＡＴＡ、ＫＤＡＴＡを受信したとする（なお、ＯＦＦはインク滴非吐出データ、ＯＮはインク滴吐出データである）。
【００２８】この場合、同図（ｇ）に示すように用紙幅に対する印写幅を設定し、
印写幅のドット位置（同図（ｆ）に示すシリアルデータアドレス）を第０ドットから第ｎドットとしたとき
【００２９】したがって、
受信回路４５の実効印写領域検出回路５２のオア回路５３からのＯＲ出力は、同図（ｅ）に示すように第３ドットから第ｎ−４ドットまでが「Ｈ」レベルとなり、同図（ｇ）に示すようにこの第３ドットから第ｎ−４ドットまでが実効印写領域として検出される。そこで、この検出した実効印写領域の情報をＣＰＵ４４に送出して、キャリッジ４の移動領域や移動速度を制御することで、スループットを高くすることができる
【００３０】このように主走査方向に１ライン毎に記録密度単位でシリアルに記録データを生成する記録データ生成手段と、この記録データ生成手段で生成された記録データを受信する受信手段と、この受信手段で受信した記録データを格納するメモリ手段と、このメモリ手段からインクジェットヘッドのノズル配置に合わせて記録データを読み出す読出し手段を備えると共に、受信手段には実効印写領域を検出する実効印写領域検出手段を備える構成としたので、簡単な回路構成でビデオデータの受信中にリアルタイムで実効印写領域を検出でき、ビットマップメモリの内部をスキャンして実効印写領域を検出する場合に比べて格段に処理時間を短縮でき、全体的なスループットを高めて高速印写ができるようになる。」     　　
     　　　　　
　オ　「【００３１】次に、本発明に係る実効印写領域検出手段の他の例について図９を参照して説明する。この実効印写領域検出回路は、上述したオア回路５３の出力をビデオデータ同期信号ＶＣＬＫをクロック入力とするＤ型フリップフロップ（ＦＦ）回路５４に入力し、このＦＦ回路５４のＱ出力を同じくビデオデータ同期信号ＶＣＬＫをクロック入力とするＤ型フリップフロップ（ＦＦ）回路５５に入力している。そして、ＦＦ回路５３のＱ出力とＦＦ回路５４のＱ出力をノット回路５６で反転した出力とをナンド回路５７に入力し、一方、ＦＦ回路５３のＱ出力をノット回路５８で反転した出力とＦＦ回路５４のＱ出力とをナンド回路５９に入力している。
【００３２】一方、受信部５１内のシリアルデータアドレスをカウントするアドレスカウンタ６０からのｎビットのアドレスデータを入力し、ナンド回路５７の出力／ＬＤ１（明細書中の符号の「／」は反転を意味する。）を反転した出力とアドレスカウンタ６０からのアドレスデータをファーストアドレス検出部６１に入力し、ナンド回路５９の出力／ＬＤ２を反転した出力とアドレスカウンタ６０からのアドレスデータをラストアドレス検出部６２に入力する。
【００３３】
ファーストアドレス検出部６１からは主走査方向に１ライン毎に生成されるシリアルのビデオデータに含まれるインク滴吐出データに対応する最初のアドレス（これを「ファーストアドレス」という。）が検出されてそのアドレス値が出力され、ラストアドレス検出部６２からは主走査方向に１ライン毎に生成されるシリアルのビデオデータに含まれるインク滴吐出データの最後のアドレス（これを「ラストアドレス」という。）であるラストアドレスが検出されてそのアドレス値が出力される
【００３４】
ここで、これらのファーストアドレス及びラストアドレスは１ライン分のデータであるので、ｎ個のノズルを有し、１回の主走査でｎラインを同時に印写する場合には、ｎラインの各ファーストアドレス及びラストアドレスの内で最小のファーストアドレス及び最大のラストアドレスを抽出する必要がある
【００３５】そこで、ＣＰＵ４４で実行するアドレス抽出処理について図１１を参照して説明する。このアドレス抽出処理は、ｎ個のノズルを記録密度ｄと同じノズル配置密度Ｄ（＝ｄ）で配置したインクジェットヘッドを用いる場合の例である。まず、ファーストアドレス検出部６１からのファーストアドレスＦＡ、ラストアドレス検出部６２からのラストアドレスＬＡを取り込んで、現ラインのファーストアドレスＦＡＮが保持しているファーストアドレスＦＡＯより小さい（ＦＡＮ＜ＦＡＯ）か否かを判別し、ＦＡＮ＜ＦＡＯであれば、保持しているファーストアドレスＦＡＯを今回取り込んだファーストアドレスＦＡＮに更新し（ＦＡＮ→ＦＡＯ）する。
【００３６】同様に、現ラインのラストアドレスＬＡＮが保持しているラストアドレスＬＡＯより大きい（ＬＡＮ＞ＬＡＯ）か否かを判別し、ＬＡＮ＞ＬＡＯであれば、保持しているラストアドレスＬＡＯを今回取り込んだファーストアドレスＬＡＮに更新し（ＬＡＮ→ＬＡＯ）する。そして、ｎライン分のファーストアドレスＦＡ、ラストアドレスＬＡの取込が終了すれば、そのときに保持しているファーストアドレスＦＡＯ及びラストアドレスＬＡＯを検出アドレスとしてキャリッジの移動制御を行う。
【００３７】このように、ＣＰＵ４４の演算による抽出処理は、第１ラインのファーストアドレスと第２ラインのファーストアドレスとを比較して小さい方のファーストアドレスを残し、これを次のラインのファーストアドレスと比較して同様に小さい方のファーストアドレスを残すという処理を第ｎラインまで行なう（ラストアドレスについても同様）ものであり、簡単なソフトのサブルーチンで行なえるので、処理時間も短くスループットのダウンを生じない。
【００３８】これを図１１を参照して具体的に説明すると、同図（ａ）に示すようにインクジェットヘッドは第１ノズルから第ｎノズルのｎ個のノズルを有し、かつ、ノズルピッチ（ノズル配置密度）Ｄと記録密度ｄとが同じ（Ｄ＝ｄ）である。また、ここでは、説明を簡単にするために、オア出力が１つのみとする。
【００３９】上述したように
実効印写領域検出回路からはｎラインについて各ラインのファーストアドレス及びラストアドレスが出力されて、ｎラインのファーストアドレスの最小アドレス値及びラストアドレスの最大アドレス値をＣＰＵ４４による上述したような演算処理或いは図示しないハードウェア構成の比較回路によって検出することで、同図（ｃ）に示すようにｎラインのシリアルデータの内で最小のファーストアドレス及び最大のラストアドレスを得ることができる
【００４０】
このようにして得られるファーストアドレス及びラストアドレスに基づいてＣＰＵ４４はキャリッジを双方向に最短距離で移動させる双方向最短印写制御を行なう
【００４１】そして、ＦＡＳ＜ＬＡＳであれば、キャリッジをファーストアドレスＦＡの位置へ移動し、ＦＡＳ＜ＬＡＳでなければ、キャリッジをラストアドレスＬＡの位置へ移動した後、印写方向を決定する。
【００４２】例えば、図１３（ａ）に示す例では、前行（ｎライン分）を往路方向で印写した後、印写終了位置（アドレス）と次行のファーストアドレスＦＡ及びラストアドレスＬＡとを比較して、キャリッジの移動距離が短い方のアドレス、ここではファーストアドレスＦＡにキャリッジを移動させた後、本行（ｎライン分）を往路方向で印写する。また、同図（ｂ）に示す例では、前行を往路方向で印写した後、印写終了位置（アドレス）と次行のファーストアドレスＦＡ及びラストアドレスＬＡとを比較して、キャリッジの移動距離が短い方のアドレス、ここではラストアドレスＬＡにキャリッジを移動させた後、本行を復路方向で印写する。
【００４３】このように前行の印写終了位置と次行のファーストアドレス及びラストアドレスの情報に基づいて最短距離でキャリッジを移動させることで、印写のスループットを最小にすることができて高速記録が可能になる。
」
  　
　カ　上記アの「【請求項１】 
複数のノズルを副走査方向に配置したインクジェットヘッド
イエロー（Ｙ）、マゼンタ（Ｍ）、シアン（Ｃ）及びブラック（Ｂｋ）の各インク
ｎ個のノズルを有し、１回の主走査でｎラインを同時に印写する場合には
    　
　キ　図３より、「ヘッド駆動回路４９」が、「ヘッド５」に「ビデオデータ」に対応する駆動信号を供給し、「ヘッド５」を駆動していることが看取される。 
 　   　
　ク　図６及び図９から、Ｙ，Ｍ，Ｃ，Ｋの各データＤＡＴＡがオア回路５３に入力され、オア回路５３からのＯＲ出力とアドレスカウンター６０からのアドレスデータとに基づいて、ファーストアドレス検出部６１からファーストデータ（ファーストアドレス）が、ラストアドレス検出部６２からラストデータ（ラストアドレス）がそれぞれ出力されることが看取される。
      　　
　ケ　上記アないしクから、引用文献には次の発明（以下「引用発明」という。）が記載されていると認める。 
 　  　　
「複数のノズル（ｎ個）を副走査方向に配置した色別のインクジェットヘッドを複数個（イエロー（Ｙ）、マゼンタ（Ｍ）、シアン（Ｃ）及びブラック（Ｂｋ））主走査方向に配列した記録ヘッドをキャリッジに搭載し、このキャリッジを主走査方向に移動させて記録を行うインクジェット記録装置であって、
　ホスト側から転送される印刷データ（描画コマンド）等を受信し、主走査方向に１ライン毎に記録密度ｄ単位でシリアルに記録データ（
以下「ビデオデータ」という。
　プリンタコントローラ部から転送されるシリアルのビデオデータ等の情報に基づいて記録ヘッドの駆動制御やキャリッジの駆動制御等を行うエンジンコントローラ部とを備えたインクジェット記録装置において、 
　エンジンコントローラ部は、
　エンジンコントローラ部の全体の制御を司る
ＣＰＵ
　ビデオデータ等を受信する受信手段である
受信回路
　受信回路で受信したビデオデータを格納する
メモリ
　メモリへのビデオデータの書込みを制御する
書込み制御回路
　メモリから記録ヘッドのノズル配置に合わせてビデオデータを読み出す読出し手段である
読み出し制御回路
　受信回路は、
　受信部と、
　実効印写領域を検出する実効印写領域検出回路とを備えるものであり、
　４色の各シリアルデータの内に１色でもインク滴吐出データ（インク滴を吐出させるためにエネルギー発生手段の駆動を要求するデータの意味）があるときには、そのアドレス（主走査方向ドット位置）から印写を開始する必要があることから、
　実効印写領域検出回路において、Ｙ，Ｍ，Ｃ，Ｋの各データＤＡＴＡをオア回路に入力し、オア回路からのＯＲ出力とアドレスカウンターからのアドレスデータとに基づいて、　
　ファーストアドレス検出部からは主走査方向に１ライン毎に生成されるシリアルのビデオデータに含まれるインク滴吐出データに対応する最初のアドレス（これを「
ファーストアドレス
　ラストアドレス検出部からは主走査方向に１ライン毎に生成されるシリアルのビデオデータに含まれるインク滴吐出データの最後のアドレス（これを「
ラストアドレス
　ここで、これらのファーストアドレス及びラストアドレスは１ライン分のデータであるので、ｎ個のノズルを有し、１回の主走査でｎラインを同時に印写する場合には、ｎラインの各ファーストアドレス及びラストアドレスの内で最小のファーストアドレス及び最大のラストアドレスを抽出する必要があるので、
　実効印写領域検出回路からはｎラインについて各ラインのファーストアドレス及びラストアドレスが出力されて、ｎラインのファーストアドレスの最小アドレス値及びラストアドレスの最大アドレス値をＣＰＵによって検出することで、
ｎラインのシリアルデータの内で最小のファーストアドレス及び最大のラストアドレスを得ることができ
　このようにして得られるファーストアドレス及びラストアドレスに基づいてＣＰＵはキャリッジを双方向に最短距離で移動させる双方向最短印写制御を行う、
　インクジェット記録装置。」 
　　　　
第４　対比・判断 
１　本願発明と引用発明とを対比する。 
（１）引用発明の「記録ヘッド」は本願発明「印刷ヘッド」に相当し、同様に、
「色別のインクジェットヘッド」は「色別ヘッド」に、
「『記録ヘッド』が『搭載され』、『主走査方向に移動する』『キャリッジ』」は「印刷ヘッドを主走査方向に移動させる移動機構」に、
「ビデオデータ」は「イメージデータ」に、
「４色の各シリアルデータ」及び「Ｙ，Ｍ，Ｃ，Ｋの各データＤＡＴＡ」は「色別イメージデータ」に、
「『色別のインクジェットヘッド』を備えた『インクジェット記録装置』」は「カラープリンタ」に、相当する。 
     　　
（２）上記（１）より、
　引用発明は、４色の各シリアルデータ（本願発明の「色別のイメージデータ」に相当する。）の１ライン毎に、そのＯＲ出力とアドレスデータとに基づいて「ファーストアドレス」（本願発明の「開始アドレス」に相当する。）を検出し、この検出をｎライン分行って得られたｎ個のファーストアドレスの最小アドレス値を「最小のファーストアドレス」（本願発明の「最先頭アドレス」に相当する。）としている。
　同様にして、引用発明は、「ラストアドレス」（本願発明の「終了アドレス」に相当する。）と「最大のラストアドレス」（本願発明の「最後尾アドレス」に相当する。）を検出している。
　したがって、引用発明の「ｎラインのシリアルデータの内で最小のファーストアドレス」は本願発明の「『色別のイメージデータの開始アドレスのうち最小のアドレス』である『最先頭アドレス』」に相当し、同様に、引用発明の「ｎラインのシリアルデータの内で最大のラストアドレス」は本願発明の「『色別のイメージデータの終了アドレスのうち最大のアドレス』である『最後尾アドレス』」に相当する。
　　　　
（３）引用発明の「インクジェット記録装置」は、「『メモリから記録ヘッドのノズル配置に合わせてビデオデータを読み出す読出し手段である読み出し制御回路とを備え、メモリから読み出したビデオデータをヘッド駆動回路に送出して』『１回の主走査でｎラインを同時に印写する』」ものであることから、引用発明の「受信回路で受信したビデオデータを格納するメモリ」が、少なくとも１ライン分の色別のイメージデータを記憶する記憶領域（つまり、イメージバッファ）を有していることは明らかである。
　また、本願明細書の【００１６】には、１印刷行について「
１印刷行のイメージを形成し終わると、用紙が副走査方向（垂直方向）へ送られて
　してみれば、引用発明の「メモリ」と、　
　本願発明の「１印刷行分の色別のイメージデータをそれぞれ記憶する複数のイメージバッファ」とは、
「
少なくとも１ライン分の
　　　　　
（４）引用発明の「ＣＰＵ」は、「最小のファーストアドレス」及び「最大のラストアドレス」に基づいてキャリッジを双方向に最短距離で移動させる双方向最短印写制御を行うものである。
　してみれば、引用発明の「ＣＰＵ」と、　
　本願発明の「
各色イメージバッファ内に格納された
「各色イメージデータの最先頭アドレスと最後尾アドレスとに基づいて、前記最先頭アドレスに対応する主走査方向の印刷開始位置から、前記最後尾アドレスに対応する主走査方向の印刷終了位置までの位置範囲を前記印刷ヘッドが連続移動するように、前記移動機構を制御する移動制御手段」という点で共通する。
　
（５）上記（１）ないし（４）からみて、本願発明と引用発明とは、以下の点で一致する。
　　　　 
「印刷ヘッドと、
　前記印刷ヘッドを主走査方向に移動させる移動機構と、
　
少なくとも１ライン分の
イメージバッファ
　前記
各色イメージデータ
　を備え、
　前記ヘッドは、主走査方向に配列された複数の色別ヘッド部からなり、
　前記最先頭アドレスは、色別のイメージデータの開始アドレスのうち最小のアドレスであり、
　前記最後尾アドレスは、色別のイメージデータの終了アドレスのうち最大のアドレスである、
　カラープリンタ。」
　 　
（６）一方、本願発明と引用発明は、以下の点で相違する。
　＜相違点１＞        　
　イメージバッファに関し  　
　本願発明は「
１印刷行分の
複数
 　    
　＜相違点２＞
　移動制御手段で利用する各色イメージデータの最先頭アドレスと最後尾アドレスに係る「各色イメージデータ」に関し
　本願発明はいずれも「各色イメージバッファ内に格納された」ものであると特定されるものであるのに対して、引用発明は上記特定を有していない点。
    
　＜相違点３＞
　移動制御手段における制御に関し
　本願発明が「最小のアドレスに対応する色の前記色別ヘッド部と他の色の前記色別ヘッド部との
主走査方向の距離に基づいて
　前記最大のアドレスに対応する色の前記色別ヘッド部と他の色の前記色別ヘッド部との
主走査方向の距離に基づいて
 　 
２　判断 
（１）＜相違点１＞ について検討する。 
　ア　カラープリンタにおけるイメージデータを記憶するイメージバッファ」として、「
１パス順ずつ
４つの
　
　イ　してみれば、引用発明の「イメージバッファ（メモリ）」に上記周知技術１を適用して「１印刷行分の色別のイメージデータをそれぞれ記憶する複数のイメージバッファ」とすることは、当業者が容易に着想し得たことである。 
　
　ウ　以上のことから、引用発明において、上記＜相違点１＞ に係る本願発明の構成を採用することは、当業者が周知技術１に基づいて容易になし得たことである。
　 　 
（２）＜相違点２＞について検討する。
　ア　引用発明の「イメージバッフア（メモリ）」を「１印刷行分の色別のイメージデータをそれぞれ記憶する複数のイメージバッファ」とすることは、上記（１）で検討した。
  　  　
　イ　引用発明の「イメージバッファ（メモリ）」に格納される「イメージデータ（ビデオデータ）」と引用発明の「実行印写領域検出回路」で使用される「イメージデータ（ビデオデータ）」とは等価なデータであることから、引用発明において「最先頭アドレス（最小のファーストアドレス）」と「最後尾アドレス（最大のラストアドレス）」をイメージバッファ（メモリ）に格納する前のイメージデータから検出しても、格納後のイメージデータから検出しても、同様の値が得られることになる。
　   
　ウ　しかも、引用文献には「【０００３】従来、このようなインクジェット記録装置において、プリントのスループットを高めるために、例えば特開昭６−１０６８０６号公報に記載されているように、ホスト側から受信したイメージデータ若しくはコードデータをビットマップ展開したイメージデータを
メモリに格納し、このメモリをスキャンしてイメージデータを読出し、これに基づいて非印写領域を検出して、一定幅の非印写領域があるときにはキャリッジを高速移動させるようにしたものがある
【０００４】また、特開平２−４５１７２号公報に記載されているようにホストからの記録データを受信する受信バッファからデータを読み出して空白部分を検出し、この空白部分を受信バッファの記録データから除去するようにしたもの、特開昭６３−１４１７７９号公報に記載されているようにホストからの印字データを
イメージデータに展開して、このイメージデータからスペース（空白）データを検出してキャリッジの移動速度を決定するようにしたものなどが知られている
【０００５】   　
【発明が解決しようとする課題】上述したように
従来のインクジェット記録装置においては、メモリ上に記録データをビットマップ展開した上で、そのビットマップデータ（イメージデータ）から実効印写領域を検出してキャリッジの移動範囲や移動速度を決定することで高速化を図るようにしている
【０００６】しかしながら、このようにビットマップデータを主走査方向にスキャンして実効印写領域を検出する、つまり、すなわち各アドレスについてインク滴吐出データがあるか否かの検出を行なった場合、
実効印写領域の検出処理に相当の時間がかかるため、キャリッジの移動自体のスループットを高めることができても、記録装置全体として見た場合スループットをさほど高めることができない
　　
　エ　上記アないしウより、引用発明において、イメージバッファ（メモリ）を１印刷行分の色別のイメージデータをそれぞれ記憶する複数のイメージバッファとするとともに、イメージバッファの内部をスキャンして実効印写領域を検出するように変更することは、当業者が上記周知技術１に基づいて容易になし得たことである。
　
　オ　上記エのようにした引用発明の「最先頭アドレス（最小のファーストアドレス）」及び「最後尾アドレス（最大のラストアドレス）」は、
（ア）「
各色イメージバッファ内に格納された
（イ）「最先頭アドレスは、前記
複数のイメージバッファに格納され
（ウ）「前記最後尾アドレスは、前記
複数のイメージバッファに格納された
　　
　カ　以上のことから、引用発明において、上記＜相違点２＞ に係る本願発明の構成を採用することは、当業者が容易になし得たことである。
                　
（３）＜相違点３＞について検討する。
　ア　本願明細書の【００３９】には「例えば、図３（Ｂ）に示すように、各色のヘッド部２３Ｙ，２３Ｍ，２３Ｃが主走査方向に並んでいる場合には、各色ヘッド間の距離に相当する
オフセットを
駆動タイミング
読み出しアドレス範囲に適用する必要があ
オフセットを
駆動タイミング
読み出しアドレス範囲に適用する
　
　イ　しかしながら、色別インクジェットヘッドを主走査方向に配置した記録ヘッドを備えたインクジェット記録装置において、ヘッド間の主走査方向の距離を勘案して、ヘッドの駆動タイミング等を決定することは原出願日前に周知である（例えば、特開平９−１６９１２５号公報の【００４５】ないし【００５０】、特開平８−３００６９３号公報の【０００３】ないし【０００４】、特開平７−３２９３６４号公報の【０００３】、特開平５−９６８３５号公報の【００２７】、特開平３−２９２１４８号公報の第３頁右下欄第４ないし１２行、特開昭５８−８７０６４号公報の第２頁左上欄第６行ないし同頁右上欄第１行を参照。以下「周知技術２」という。）
  　
　ウ　してみれば、引用発明において、ヘッド間の主走査方向の距離を勘案して、ヘッドの駆動タイミング等を制御するようになすことは、当業者が周知技術２に基づいて容易に着想し得たことである。
    　
　エ　上記ウのようにした引用発明の移動制御手段による移動機構の制御は「最小のアドレスに対応する色の前記色別ヘッド部と他の色の前記色別ヘッド部との主走査方向の距離に基づいて前記移動機構を制御し、
　前記最大のアドレスに対応する色の前記色別ヘッド部と他の色の前記色別ヘッド部との主走査方向の距離に基づいて前記移動機構を制御する」との構成を備えることになる。
　　　
（４）効果について 
　本願発明の奏する効果は、引用発明の奏する効果、周知技術１及び周知技術２の奏する効果から当業者が予測できた程度のものである。 
　　
（５）まとめ
　したがって、本願発明は、当業者が引用文献に記載された発明、周知技術１及び周知技術２に基づいて容易に発明をすることができたものである。
　　　 
３　むすび 
　以上のとおり、本願発明は、当業者が刊行物に記載された発明、周知技術１及び周知技術２に基づいて容易に発明をすることができたものであるから、特許法第２９条第２項の規定により特許を受けることができない。　
　よって、結論のとおり審決する。